(57)【要約】【課題】大幅に軽量化できるとともに、気流抵抗の低減を確実に図り、整流効果を向上させることができるルーバ付ダクトの提供。【解決手段】一方の開口９０Ａから他方の開口９０Ｂへと空気を通過させる筒状体のダクト９９と、このダクト９９内に設けられ、空気を案内する複数の羽根部材９５１を有するルーバ９５０とを備えたルーバ付ダクト９０は、羽根部材９５１は、可撓性を有するシート状とされ、ダクトは、該ダクトの延出方向に沿って分離可能な第１部材９１０および第２部材９３０から構成され、これらの第１部材９１０および第２部材９３０の一方には、羽根部材９５１のそれぞれの一端部が挿入される複数の溝部が形成されているとともに、他方には、羽根部材９５１のそれぞれの他端部を受け止める複数の受け部９１３が形成されている。【選択図】図８
2005242156.tif 000002
【特許請求の範囲】
【請求項１】
一方の開口から他方の開口へと空気を通過させる筒状体のダクトと、このダクト内に設けられ、空気を案内する複数の羽根部材を有するルーバとを備えたルーバ付ダクトであって、
前記羽根部材は、可撓性を有するシート状とされ、
前記ダクトは、該ダクトの延出方向に沿って分離可能な第１部材および第２部材から構成され、
これらの第１部材および第２部材の一方には、前記羽根部材のそれぞれの一端部が挿入される複数の溝部が形成されているとともに、他方には、前記羽根部材のそれぞれの他端部を受け止める複数の受け部が形成されていることを特徴とするルーバ付ダクト。
【請求項２】
請求項１に記載のルーバ付ダクトにおいて、
前記溝部は、前記空気をそれぞれ案内する２つの傾斜部を有するく字状に形成されていることを特徴とするルーバ付ダクト。
【請求項３】
請求項１または請求項２に記載のルーバ付ダクトにおいて、
前記溝部には、一方の内側面に、面外方向に突出する突起が形成されているとともに、他方の内側面に、この突起に応じて該突起の突出方向に窪む凹部が形成されていることを特徴とするルーバ付ダクト。
【請求項４】
請求項１から請求項３のいずれかに記載のルーバ付ダクトにおいて、
前記受け部は、前記羽根部材の端部を案内するＶ字状の案内面が形成されていることを特徴とするルーバ付ダクト。
【請求項５】
光源から射出された光束を画像情報に応じて変調して光学像を形成し、拡大投写するプロジェクタであって、
請求項１から請求項４のいずれかに記載のルーバ付ダクトを備えることを特徴とするプロジェクタ。
【請求項６】
請求項５に記載のプロジェクタにおいて、
本体を収容する外装筐体の内面部分で、
前記第１部材および前記第２部材の少なくとも一方は、この外装筐体を部分的に構成していることを特徴とするプロジェクタ。
【発明の詳細な説明】
【技術分野】
【０００１】
本発明は、一方の開口から他方の開口へと空気を通過させる筒状体のダクトと、このダクト内に設けられ、空気を案内する複数の羽根部材を有するルーバとを備えたルーバ付ダクト、およびこれを備えたプロジェクタに関する。
【背景技術】
【０００２】
従来より、光源から射出された光束を光学的に処理するとともに、液晶パネル等の光変調素子で画像情報に対応した光学像を形成し、この光学像を拡大投写するプロジェクタが知られており、近年では、容易に持ち運んで様々な機会に使用できるように、より軽量、コンパクトな製品が開発されている。
このようなプロジェクタでは、プロジェクタ外部の空気をファンによって吸入し、この空気を流通させて光源や各種光学素子、電源部等を冷却し、熱を吸収した空気をダクトを通じて外部へ排出する冷却構造が採用されている（例えば、特許文献１参照）。
ここで、ダクトの排気口にはルーバが設けられており、プロジェクタから排出される高温空気が投写画像や観察者から逸れる方向に案内されて、ゆらぎのない投写画像を快適に観察することができる。
ところで、このようなルーバが設けられたルーバ付ダクトは射出成形等によって形成されており、特許文献１にも示されるように、ダクトを分割構成してそのそれぞれに羽部材を一体成形することで、成形の自由度を高めている。
【０００３】
【特許文献１】特開２００３−２１５７１０号公報
【発明の開示】
【発明が解決しようとする課題】
【０００４】
しかしながら、ルーバ付ダクトを射出成形するにはルーバの羽根部材にある程度の厚みが必要である。特に、羽根部材の根元は射出成形の金型から抜き出す際の手前側となるため、この根元部分ではさらに厚みが必要となる。このような各羽根部材の厚みのぶん、ダクトの重量が増加してしまい、プロジェクタの小型化・軽量化が阻害されてしまうという問題があった。
また、各羽根部材をダクト部分と一体成形しているため、成形型が複雑化してしまい、成形が難しいという問題もある。
さらに、各羽根部材の厚みのぶん、ダクトの開口率が減少し、羽根部材による気流の抵抗が大きいため、プロジェクタの冷却作用が阻害される結果ともなっていた。
なお、特許文献１のように、二体構造とされたダクトの二体に跨るようにルーバの羽根部材を形成すると、各羽根部材の継ぎ目部分で厚みや気流抵抗が生じることになる。
このような問題は、プロジェクタに採用されるルーバ付ダクトに限らず、その他の機器に採用されるルーバにおいても同様に発生していた。
【０００５】
本発明の目的は、上記問題に鑑みて、大幅に軽量化でき、成形の容易化が図られ、さらに、気流抵抗の低減を確実に図り、整流効果を向上させることができるルーバ付ダクト、およびこれを備えるプロジェクタを提供することにある。
【課題を解決するための手段】
【０００６】
本発明のルーバ付ダクトは、一方の開口から他方の開口へと空気を通過させる筒状体のダクトと、このダクト内に設けられ、空気を案内する複数の羽根部材を有するルーバとを備えたルーバ付ダクトであって、前記羽根部材は、可撓性を有するシート状とされ、前記ダクトは、該ダクトの延出方向に沿って分離可能な第１部材および第２部材から構成され、これらの第１部材および第２部材の一方には、前記羽根部材のそれぞれの一端部が挿入される複数の溝部が形成されているとともに、他方には、前記羽根部材のそれぞれの他端部を受け止める複数の受け部が形成されていることを特徴とする。
【０００７】
ここで、このルーバ付ダクトは、組み込まれる機器筐体の外部への排気用でも、筐体内部への吸気用でも、その用途を問わない。また、ルーバの羽根部材の配列方向は、機器の設置面に対し垂直、平行、斜行等、その向きを問わない。
この発明によれば、羽根部材がシート状（薄い板状）とされていることにより、従来の射出成形等による羽根部材と比べて大幅な軽量化が可能となる。
また、この羽根部材によってダクトの開口率が増加し、ダクトを通過する気流がこの羽根部材にほとんどあたらない。したがって、気流抵抗の低減が確実に図られ、ルーバの整流効果を向上させることができる。大風量の気流を整流しても、羽根部材の風切り音が耳障りとなることもない。
【０００８】
一方、シート状とされた各羽根部材からルーバが構成されており、その可撓性により、羽根部材は溝部および受け部の形状に応じた形態をとるので、溝部および受け部の成形次第でルーバの形状を自在にできる。
また、ルーバがダクトとは別体とされていることから、ルーバ付ダクトを一体に形成する場合と比べ、成形型の形状が大幅に単純化されて成形の容易化が図られるとともに、ルーバの形状に関わらずダクトを任意に成形できる。
【０００９】
そして、ダクトが延出方向沿いに分割された第１部材および第２部材という２つの部材から構成されていることにより、第１部材および第２部材の少なくとも一方を断面Ｕ字状とできる。したがって、成形型の断面がＵ字状となり、このＵ字の開口部分を利用して脱型が容易となる。
ここで、ダクトが２つの部材から構成されていても、ルーバの各羽根部材は一体であり、従来のように、ダクトの２つの部材に分断された各羽根部材の継ぎ目部分で気流の抵抗が生じることもない。
【００１０】
なお、このルーバ付ダクトを組み立てる際は、例えば、各羽根部材の一端部を溝部に挿入するとともに、他端部を受け部に押し当てて支持させるだけで羽根部材が溝部および受け部に挟持されるので、組立作業が容易である。
また、溝部の内側の幅を狭く形成し、羽根部材を受け部に当接させるよりも前にこの溝部に挿入すれば、羽根部材が溝部で保持されて、組立性を一層向上できる。
【００１１】
本発明のルーバ付ダクトでは、前記溝部は、前記空気をそれぞれ案内する２つの傾斜部を有するく字状に形成されていることが好ましい。
この発明によれば、平坦な状態の羽根部材が溝部に挿入され、溝部と同様のく字状に屈曲する。これにより、曲げられた羽根部材の復元力によって、羽根部材が溝部の内側面に押さえつけられ、溝部に羽根部材をしっかりと保持できる。
また、羽根部材も溝部に応じた２つの傾斜部をなし、羽根部材の傾斜部が屈曲部分で互いに支え合うような格好となるので、羽根部材が直線的である場合に比べて、羽根部材の強度を向上できる。
さらに、プロジェクタ等、光源を筐体内に有する光学機器に組み込まれた場合、この羽根部材の２つの傾斜部によって効果的に遮光でき、外部への漏れ光を十分に低減できる。つまり、一方の傾斜部で遮光できなかった光束を他方の傾斜部で捕捉でき、また、ルーバで生じた反射光までをこれらの傾斜部で遮光できる。したがって、漏れ光によって画像の投写に支障が生じることがない。
【００１２】
本発明のルーバ付ダクトでは、前記溝部には、一方の内側面に、面外方向に突出する突起が形成されているとともに、他方の内側面に、この突起に応じて該突起の突出方向に窪む凹部が形成されていることが好ましい。
これらの突起および凹部は、各溝部に複数形成されていることが好ましい。
【００１３】
この発明によれば、溝部に挿入された羽根部材の端部が突起および凹部の位置でうねり、この突起および凹部近傍で羽根部材が固定されるので、羽根部材を溝部全体により確実に保持できる。
また、シート状の羽根部材の厚みに応じて溝部の幅を設定すると射出成形等による成形が困難となる場合でも、このような突起の突出方向であって凹部が窪む方向に羽根部材がうねって溝部に強固に保持されるので、そのぶん溝部内側の幅を広く設定できる。したがって、射出成形の成形上の都合によらず、シートの厚みを適宜選択でき、軽量化に寄与できる。
【００１４】
本発明のルーバ付ダクトでは、前記受け部は、前記羽根部材の端部を案内するＶ字状の案内面が形成されていることが好ましい。
この発明によれば、羽根部材の端部が受け部に当接すると、Ｖ字状の案内面によって羽根部材の端部が受け部の中央に案内されるので、羽根部材を受け部によって容易かつ確実に支持可能となる。
ここで、受け部には、Ｖ字の中央に羽根部材の端部を受ける溝を形成すればより好ましい。
【００１５】
本発明のプロジェクタは、光源から射出された光束を画像情報に応じて変調して光学像を形成し、拡大投写するプロジェクタであって、前述のルーバ付ダクトを備えることを特徴とする。
この発明によれば、ルーバ付ダクトが前述のような作用及び効果を具備するため、同様の作用および効果を享受できる。すなわち、プロジェクタを着実に軽量化・小型化できるとともに、ルーバの気流抵抗の低減により、空冷作用を十分に発揮させることができる。また、ルーバ付ダクトの成形の自由度が高いことにより、プロジェクタの各機種に対応させることができる。
【００１６】
本発明のプロジェクタでは、本体を収容する外装筐体の内面部分で、前記第１部材および前記第２部材の少なくとも一方は、この外装筐体を部分的に構成していることが好ましい。
この発明によれば、外装筐体の内周面から面外方向に突出する部分があり、この突出部分は、第１部材および第２部材の少なくとも一方となっている。このように、外装筐体と第１部材および第２部材とは、互いの部分を共有するように、一体に形成される。
これにより、部品点数が減少し、プロジェクタ全体の小型化・軽量化、および省資源化を図ることができる。
【００１７】
ここで、外装筐体の部分を構成しているのは、第１部材および第２部材のいずれでもよく、第１部材および第２部材の両方ともであってもよい。
また、外装筐体の構成は任意であるが、該外装筐体が例えば容器状の底部と蓋部とに分割され、この分割に応じて第１部材および第２部材がダクトの延出方向に分割されていれば合理的である。
なお、第１部材および第２部材において、外装筐体の部分を構成する部位は任意であり、例えば、第１部材および第２部材をダクトとして組み合わせたときの側面部分が外装筐体の部分を構成していてもよい。
【発明を実施するための最良の形態】
【００１８】
以下、本発明の実施の一形態を図面に基づいて説明する。
［外観構成］
図１は、本実施形態に係るプロジェクタ１を上方前面側から見た斜視図である。図２は、プロジェクタ１を下方前面側から見た斜視図である。図３は、プロジェクタ１を後方背面側から見た斜視図である。
プロジェクタ１は、光源から射出された光束を画像情報に応じて変調し、スクリーン等の投写面上に拡大投写する。このプロジェクタ１は、図１ないし図３に示すように、略直方体状の筐体としての外装ケース２、およびこの外装ケース２から露出する投写レンズ３を備えている。
投写レンズ３は、プロジェクタ１の本体部分により画像情報に応じて変調された光学像を拡大投写する。この投写レンズ３は、筒状の鏡筒内に複数のレンズが収納された組レンズとして構成され、複数のレンズの相対位置を変更するレバー３Ａ（図１）を備え、投写像のフォーカス調整、および倍率調整可能に構成されている。
【００１９】
外装ケース２は、合成樹脂製の筐体であり、プロジェクタ１の本体部分を収納する。この外装ケース２は、図１ないし図３に示すように、プロジェクタ１の上部分を覆うアッパーケース１１と、プロジェクタ１の下部分を覆うロアーケース１２と、プロジェクタ１の背面部分を覆うリアケース１３（図３）とを外装筐体として備えている。これらアッパーケース１１、ロアーケース１２およびリアケース１３は、ねじ等により固定され、適宜着脱可能に構成されている。
アッパーケース１１は、図１ないし図３に示すように、プロジェクタ１の上面、前面、および側面をそれぞれ構成する上面部１１Ａ、前面部１１Ｂ、および側面部１１Ｃ（図１），１１Ｄ（図２、図３）を含んで構成される。
【００２０】
この前面部１１Ｂにおいて、前方から見て左側部分には、図１に示すように、排気口１７が形成され、内部に配置される冷却ファンから排気される空気が該排気口１７を介して排出される。また、この排気口１７には、左右方向に延び、それぞれ平行に配列する複数の羽根板１７Ａ１を有するルーバ１７Ａが取り付けられている。このルーバ１７Ａは、排出される空気を整流するとともにプロジェクタ１内外間の遮光機能も備えている。
さらに、この前面部１１Ｂにおいて、前方から見て右側部分には、図１に示すように、前述した切り欠き１６と連続し、略円形状の切り欠き１８が形成されている。そして、この切り欠き１８は、投写レンズ３の先端部分を露出させている。
【００２１】
ロアーケース１２は、図１ないし図３に示すように、プロジェクタ１の底面、側面、および背面の一部をそれぞれ構成する底面部１２Ａ（図２）、側面部１２Ｂ（図１），１２Ｃ（図２、図３）、および背面部１２Ｄ（図３）を含んで構成される。
【００２２】
この底面部１２Ａにおいて、下方から見て左側略中央部分には、矩形状の開口２１が形成されている。この開口２１には、該開口２１を覆うランプカバー２２が着脱自在に設けられている。
また、この底面部１２Ａにおいて、下方から見て右側で後方側の隅部は、内側に凹む段付き形状を有している。そして、この隅部には、外部から冷却空気を吸入するための吸気口２３が形成されている。この吸気口２３には、該吸気口２３を覆う吸気口カバー２３Ａが着脱自在に設けられている。この吸気口カバー２３Ａには、複数の開口２３Ｂが形成されている。そして、これら開口２３Ｂ内側には、図示しないエアフィルタが設けられており、内部への塵埃の侵入を防止している。
【００２３】
［内部構成］
図４は、プロジェクタ１のアッパーケース１１および内部の制御基板等を外した状態の、プロジェクタ１の内部構造を示す図である。
外装ケース２の内部には、プロジェクタ１の本体部分が収納されており、この本体部分は、投写方向略中央部分で左右方向に延び、一方の端部が前方に延びる平面視略Ｌ字状の光学ユニット４と、この光学ユニット４の上方で投写レンズ３側に配置される制御基板（図示省略）と、背面部分および一方の側面部分に沿って平面視略Ｌ字状に配置される電源ユニット６と、吸気口２３および排気口１７に応じた位置、および電源ユニット６の角隅部分に配置される３つの冷却ファンを含む冷却ユニット７とを備えて構成される。
【００２４】
（光学ユニット４の構造）
図５は、光学ユニット４の光学系を模式的に示す図である。
光学ユニット４は、光源装置から射出された光束を画像情報に応じて変調して光学像を形成し、投写レンズ３を介してスクリーン上に投写画像を形成するものである。この光学ユニット４は、図４または図５に示すように、インテグレータ照明光学系４１と、色分離光学系４２と、リレー光学系４３と、光変調装置および色合成光学装置を一体化した光学装置４４と、これら光学部品４１，４２，４３，４４を収納配置する光学部品用筐体４５（図４）とに機能的に大別される。
インテグレータ照明光学系４１は、光源から射出された光束を照明光軸直交面内における照度を均一にするための光学系である。このインテグレータ照明光学系４１は、図５に示すように、光源装置４１１、第１レンズアレイ４１２、第２レンズアレイ４１３、偏光変換素子４１４、および重畳レンズ４１５を備えて構成される。
【００２５】
光源装置４１１は、放射光源としての光源ランプ４１６、リフレクタ４１７、およびリフレクタ４１７の光束射出面を覆う防爆ガラス４１８を備える。そして、光源ランプ４１６から射出された放射状の光束は、リフレクタ４１７で反射されて略平行光束とされ、外部へと射出される。本実施形態では、光源ランプ４１６として、高圧水銀ランプを採用し、リフレクタ４１７として、放物面鏡を採用している。なお、光源ランプ４１６としては、高圧水銀ランプに限らず、例えばメタルハライドランプやハロゲンランプ等を採用してもよい。また、リフレクタ４１７として放物面鏡を採用しているが、これに限らず、楕円面鏡からなるリフレクタの射出面に平行化凹レンズを配置した構成を採用してもよい。
【００２６】
第１レンズアレイ４１２は、照明光軸方向から見てほぼ矩形状の輪郭を有する小レンズがマトリクス状に配列された構成を具備している。各小レンズは、光源ランプ４１６から射出された光束を部分光束に分割し、照明光軸方向に射出する。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光学装置４４の後述する液晶パネル４４１Ｒ，４４１Ｇ，４４１Ｂ上に結像させる機能を有する。
【００２７】
偏光変換素子４１４は、第２レンズアレイ４１３からの光を１種類の偏光光に変換するものであり、これにより、光学装置４４での光の利用効率が高められている。
具体的に、偏光変換素子４１４によって１種類の偏光光に変換された各部分光束は、重畳レンズ４１５によって最終的に光学装置４４の後述する液晶パネル４４１Ｒ，４４１Ｇ，４４１Ｂ上にほぼ重畳される。偏光光を変調するタイプの液晶パネル４４１Ｒ，４４１Ｇ，４４１Ｂを用いたプロジェクタでは、１種類の偏光光しか利用できないため、ランダムな偏光光を発する光源ランプ４１６からの光束の略半分が利用されない。このため、偏光変換素子４１４を用いることにより、光源ランプ４１６から射出された光束を１種類の偏光光に変換し、光学装置４４における光の利用効率を高めている。なお、このような偏光変換素子４１４は、例えば、特開平８−３０４７３９号公報に紹介されている。
【００２８】
色分離光学系４２は、２枚のダイクロイックミラー４２１，４２２と、反射ミラー４２３とを備える。インテグレータ照明光学系４１から射出された複数の部分光束は、２枚のダイクロイックミラー４２１により赤（Ｒ）、緑（Ｇ）、青（Ｂ）の３色の色光に分離される。
リレー光学系４３は、入射側レンズ４３１と、リレーレンズ４３３と、ＵＶカットフィルタ４３４と、反射ミラー４３２，４３５とを備えている。このリレー光学系４３は、色分離光学系４２で分離された色光である青色光を光学装置４４の後述する液晶パネル４４１Ｂまで導く機能を有している。
【００２９】
この際、色分離光学系４２のダイクロイックミラー４２１では、インテグレータ照明光学系４１から射出された光束のうち、緑色光成分と青色光成分とは透過し、赤色光成分は反射する。ダイクロイックミラー４２１によって反射した赤色光は、反射ミラー４２３で反射し、フィールドレンズ４２４を通って、赤色用の液晶パネル４４１Ｒに到達する。このフィールドレンズ４２４は、第２レンズアレイ４１３から射出された各部分光束をその中心軸（主光線）に対して平行な光束に変換する。他の液晶パネル４４１Ｇ，４４１Ｂの光入射側に設けられたフィールドレンズ４２４も同様である。
【００３０】
また、ダイクロイックミラー４２１を透過した青色光と緑色光のうちで、緑色光は、ダイクロイックミラー４２２によって反射し、フィールドレンズ４２４を通って、緑色光用の液晶パネル４４１Ｇに到達する。一方、青色光は、ダイクロイックミラー４２２を透過してリレー光学系４３を通り、さらにフィールドレンズ４２４を通って、青色光用の液晶パネル４４１Ｂに到達する。
なお、青色光にリレー光学系４３が用いられているのは、青色光の光路の長さが他の色光の光路長さよりも長いため、光の発散等による光の利用効率の低下を防止するためである。すなわち、入射側レンズ４３１に入射した部分光束をそのまま、フィールドレンズ４２４に伝えるためである。なお、リレー光学系４３には、３つの色光のうちの青色光を通す構成としたが、これに限らず、例えば、赤色光を通す構成としてもよい。
【００３１】
光学装置４４は、入射された光束を画像情報に応じて変調してカラー画像を形成する。この光学装置４４は，色分離光学系４２で分離された各色光が入射される３つの入射側偏光板４４２と、各入射側偏光板４４２の後段に配置される３つの視野角補正板４４３と、各視野角補正板４４３の後段に配置される光変調装置としての液晶パネル４４１Ｒ，４４１Ｇ，４４１Ｂおよび射出側偏光板４４４と、色合成光学装置としてのクロスダイクロイックプリズム４４５とを備える。
【００３２】
液晶パネル４４１Ｒ，４４１Ｇ，４４１Ｂは、例えば、ポリシリコンＴＦＴをスイッチング素子として用いたものであり、対向配置される一対の透明基板内に液晶が密封封入されている。そして、この液晶パネル４４１Ｒ，４４１Ｇ，４４１Ｂは、入射側偏光板４４２および視野角補正板４４３を介して入射する光束を画像情報に応じて変調して射出する。なお、この液晶パネル４４１Ｒ，４４１Ｇ，４４１Ｂは、図示しない保持枠により収納保持されている。
【００３３】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。
また、射出側偏光板４４４も、入射側偏光板４４２と略同様に構成され、液晶パネル４４１Ｒ，４４１Ｇ，４４１Ｂから射出された光束のうち、所定方向の偏光光のみ透過させ、その他の光束を吸収するものであり、透過させる偏光光の偏光軸は、入射側偏光板４４２における透過させる偏光光の偏光軸に対して直交するように設定されている。
【００３４】
視野角補正板４４３は、基板上に液晶パネル４４１Ｒ，４４１Ｇ，４４１Ｂで形成された光学像の視野角を補正する機能を有する光学変換膜が形成されたものである。この視野角補正板４４３は、液晶パネル４４１Ｒ，４４１Ｇ，４４１Ｂで生じる複屈折を補償する。そして、この視野角補正板４４３により、投写画像の視野角が拡大され、かつ投写画像のコントラストが向上する。
クロスダイクロイックプリズム４４５は、射出側偏光板４４４から射出され、各色光毎に変調された光学像を合成してカラー画像を形成するものである。このクロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
以上説明した液晶パネル４４１Ｒ，４４１Ｇ，４４１Ｂ、射出側偏光板４４４およびクロスダイクロイックプリズム４４５は、一体的にユニット化されている。
【００３５】
光学部品用筐体４５は、図４に示すように、射出成形等による合成樹脂製品であり、上述した光学部品４１，４２，４３，４４が収納される下光学部品用筐体４５１と、この下光学部品用筐体４５１の上面の開口部分を塞ぐ上光学部品用筐体４５２とを備える。
下光学部品用筐体４５１は、光源装置４１１が収納される光源収納部４５１Ａと、光源装置４１１を除く他の光学部品が収納される容器状に形成された部品収納部４５１Ｂと、この部品収納部４５１Ｂの外側面に形成され、投写レンズ３が設置される投写レンズ設置部４５１Ｃとを備える。
【００３６】
光源収納部４５１Ａは、下方端面の開口部４５１Ａ１（図６）および部品収納部４５１Ｂ側の図示しない開口部を有する略箱状に形成されている。そして、この光源収納部４５１Ａには、ロアーケース１２の底面部１２Ａに設けられたランプカバー２２（図２）を介して光源装置４１１が収納される。また、この光源収納部４５１Ａの前方側端面には、スリット状の図示しない開口部が形成されている。同様に、光源収納部４５１Ａの後方側端面には、スリット状の開口部４５１Ａ２（図４）が形成されている。そして、これら開口部を介して空気が光源収納部４５１Ａ内外に流通可能となっている。
部品収納部４５１Ｂ内には、図示は省略するが、光学部品４１２〜４１５，４２１〜４２４，４３１〜４３５を上方からスライド式に嵌め込むための複数の溝部が形成されている。また、部品収納部４５１Ｂ内において、図４に示すように、投写レンズ設置部４５１Ｃの内側部分に光学装置４４が設置される。さらに、部品収納部４５１Ｂにおいて、光学装置４４の後段側の側面には、具体的な図示は省略するが、光源装置４１１から射出される光束を透過させる開口部が形成されている。さらにまた、この部品収納部４５１Ｂにおいて、底面部分には、光学装置４４の３つの液晶パネル４４１Ｒ，４４１Ｇ，４４１Ｂに応じた位置に開口部が形成され、光学装置４４の偏光変換素子４１４に応じた位置にも他の開口部が形成されている。
【００３７】
投写レンズ設置部４５１Ｃは、部品収納部４５１Ｂの開口部の周縁に位置し、光学部品用筐体４５内に設定される照明光軸に対する所定位置に投写レンズ３を設置する。そして、光源装置４１１から射出され、光学装置４４にて形成された光学像が、部品収納部４５１Ｂの開口部を介して投写レンズ３により拡大投写される。
上光学部品用筐体４５２は、図４に示すように、下光学部品用筐体４５１の部品収納部４５１Ｂにおける光学装置４４の上方を除く上端開口部分を閉塞する。この上光学部品用筐体４５２には、表裏を貫通して複数の開口部（例えば、開口部４５２Ａ）が形成され、この開口部を介して下光学部品用筐体４５１内に収納された光学部品の姿勢調整が実施される。
【００３８】
（冷却ユニット７の構造）
図４および図６は、冷却ユニット７の構造を説明する図である。プロジェクタ１のアッパーケース１１および制御基板等を取り外し、上方から見た状態が図４であり、下方から見た状態が図６である。
冷却ユニット７は、プロジェクタ１外部から内部に空気を取り込む吸気機構７０と、プロジェクタ１の内部で温められた空気を外部に排出する排気機構８０とからなり、プロジェクタ１内部の発熱部材を冷却する。
吸気機構７０は、プロジェクタ１内部に外部の冷却空気を導入するシロッコファン７１と、このシロッコファン７１から吐出される冷却空気を所定位置に導く吸気ダクト７２と、電源ユニット６に冷却空気を流通させる遠心力ファンとしてのシロッコファン７３によって構成されている。
【００３９】
シロッコファン７１は、外装ケース２の底面部１２Ａに形成された吸気口２３（図２）に応じた位置に配置され、冷却空気を吸入する吸入口７１１が吸気口２３に対向し、吸入した冷却空気を吐出する吐出口７１２が光学ユニット４の下方側に向いている。
吸気ダクト７２は、図６に示すように、光学ユニット４の下方に配置され、シロッコファン７１の吐出口７１２と接続する。そして、図示は省略するが、この吸気ダクト７２は、冷却空気を導出する４つの導出口を有し、これら導出口は、下光学部品用筐体４５１の底面に形成された開口部と接続する。
シロッコファン７３は、図４、図６に示すように、電源ユニット６の電源ブロック６１および光源駆動ブロック６２の間、すなわち、電源ユニット６のＬ字形状の角隅部分に配置され、冷却空気を吸入する図示しない吸入口が電源ブロック６１に対向し、吸入した冷却空気を吐出する図示しない吐出口が光源駆動ブロック６２に対向する。
【００４０】
［排気機構８０の構造］
排気機構８０は、図４に示すように、光学部品用筐体４５の光源収納部４５１Ａの前方側端面から外装ケース２の前面にかけて延びるように配置され、内部ダクト８１、軸流ファン８２、および排気ダクト９０を備えている。
内部ダクト８１は、基端側が光源収納部４５１Ａの前方側端面に形成されたスリット状の開口部（図示略）と対向し、先端側が軸流ファン８２に接続され、光源収納部４５１Ａが収納する光源装置４１１（図５）近傍の空気を受け入れるダクトであり、合成樹脂等を用いて略角筒状に形成されている。
【００４１】
前述したように、光源収納部４５１Ａは略箱状とされており、内部ダクト８１の基端側の端部形状は、この光源収納部４５１Ａの前方側端部と略同形状に形成されている。また、導出側の端部形状は、軸流ファン８２の吸気側の端部形状と略同一に形成されており、内部ダクト８１と軸流ファン８２とは、この端部における四隅部分にて互いにねじ等により接続される。
内部ダクト８１と接続される軸流ファン８２は、内部ダクト８１を通じて空気を吸入し、ファンの回転軸方向に揃えて流すファンである。軸流ファン８２は、図示を省略したが、駆動モータ、この駆動モータの回転軸に軸支されるプロペラ８２１、およびこれらを収納するケーシング８２２を備えている。
この軸流ファン８２は排気ダクト９０に密着固定され、この固定部分から空気が漏れないようになっている。
【００４２】
ここで、図７は排気ダクト９０を示す外観斜視図である。また、図８はこの排気ダクト９０の分解斜視図であり、図９はこの排気ダクト９０を下方から見た分解斜視図である。
排気ダクト９０は、射出成形により合成樹脂により断面略矩形状に形成されており、その開口両端がそれぞれ吸気口９０Ａ、およびこの吸気口９０Ａよりも開口が小さい排気口９０Ｂとなっている。
この排気ダクト９０は、図８に示すように、延出方向に沿って分離可能な第１部材９１０および第２部材９３０とで構成される筒状体のダクト９９と、このダクト９９の内側に配設され、複数の羽根部材９５１を有するルーバ９５０とが組み合わされて構成されている。
【００４３】
第１部材９１０は、板状の底板９１１の両端に起立部９１２がそれぞれ形成された略断面コ字状となっている。
ここで、底板９１１は、本実施形態では前述のロアーケース１２の底面部１２Ａ（図２）の部分を構成するように形成されている。つまり、底板９１１と底面部１２Ａとは互いの部分を共有しており、底面部１２Ａから各起立部９１２が突設されている。第１部材９１０とロアーケースとをこのように一体形成することにより、部品点数が減少し、小型化・軽量化、および省資源化を図ることができる。ただし、この第１部材９１０はロアーケース１２と一体ではなく別体に形成されていてもよい。
また、第１部材９１０の外面両側には、一対の固定部９１５がそれぞれ形成されており、一方の固定部９１５は、第１部材９１０が外側から内側に窪んだ部分に納まってかさ張らないように形成されている。
【００４４】
この底板９１１には、ルーバ９５０の各羽根部材９５１を受け止める複数の受け部９１３が羽根部材９５１の端部と略直交する向きで突設されている。
これらの受け部９１３は、突端から切り込まれて略Ｖ字状となっており、このＶ字部分はルーバ９５０の配設に関する案内面９１３Ａとなっている。また、このＶ字の中央には凹部９１３Ｂが形成されている。
【００４５】
一方、図８に示すように、第２部材９３０は断面略Ｕ字状であり、その開口端部が第１部材９１０の起立部９１２先端部分でそれぞれ支持されている。
この第２部材９３０の内面には、図９に示すように、各羽根部材９５１と係合する複数の係合部９３１が、２つの傾斜部９３１Ａを有するく字状にそれぞれ形成され、これらの係合部９３１は、互いの間に排気ダクト９０内の空気を案内するように同じ向きに配列されている。
なお、第２部材９３０は、外面両側に第１部材９１０の固定部９１５と対応する一対の固定部９３５がそれぞれ形成されており、一方の固定部９３５は、第２部材９３０が外側から内側に窪んだ部分に納まってかさ張らないように形成されている。なお、この窪んだ部分は、第２部材９３０内部で一端側に配置された係合部９３１の、く字カーブに沿うように窪んでいる。
【００４６】
係合部９３１は、第２部材９３０から一対の側面部９３２が起立して容器（ポケット）状となっており、内側は溝部９３３となっている。
ここで、一対の側面部９３２の内面には、該側面部９３２の起立方向に延びる突起としてのリブ９３２Ａと、このリブ９３２Ａに応じた凹部９３２Ｂとがそれぞれ形成されている。
このリブ９３２Ａは、一方の側面部９３２の内面から面外方向に突出していて、このリブ９３２Ａの突出に応じて他方の側面部９３２が外側に膨出し（膨出部９３２Ｃ）、そのため内側は窪んで凹部９３２Ｂとなっている。
なお、凹部９３２Ｂはく字の屈曲凸側に形成されており、側面部９３２の膨出部分の寸法を確保しやすくなっている。
【００４７】
このようにリブ９３２Ａおよび凹部９３２Ｂを形成した結果、係合部９３１の幅寸法において、各側面部９３２の間の最短距離、すなわち、一方の側面部９３２のリブ９３２Ａ突端から他方の側面部９３２内面までの間の距離は羽根部材９５１の厚みに応じた寸法であるとともに、膨出部９３２Ｃのぶん、一対の側面部９３２の幅寸法は羽根部材９５１の厚みよりも大きくなっている。
このように形成されたリブ９３２Ａおよび凹部９３２Ｂの部分で羽根部材９５１がうねり、リブ９３２Ａおよび凹部９３２Ｂの近傍で、一対の側面部９３２の間に羽根部材９５１をしっかりと挟み込んで固定することができるとともに、係合部９３１の全体幅としては広くとることができる。
つまり、係合部９３１の幅を羽根部材９５１の厚みに応じて狭く設定すると、金型の製作や成形の抜き取り時に不都合が生じる場合があるが、このような問題が生じない。
したがって、このような成形上の都合によらず、羽根部材９５１のシートの厚みを適宜選択でき、軽量化に寄与できる。
【００４８】
ルーバ９５０は、図８に示すように、垂直方向に延びる板状の羽根部材９５１が略平行かつ略等間隔に配列されて構成されている。
このルーバ９５０の羽根部材９５１は排気口９０Ｂを垂直方向に仕切り、空気の流れを案内するように延びている。
ここで、この羽根部材９５１には、合成樹脂製の平坦なシートが採用されている。本実施形態では、この羽根部材９５１に採用された矩形状のシートの厚みは、例えば約０．２５ｍｍ〜０．５ｍｍである。このシートは可撓性を有しており、シート途中に折り目が付けられ、折り目９５１Ａの両側が２つの空気案内部９５１Ｂとなっている。
なお、各羽根部材９５１は、一つの羽根部材９５１の幅寸法と略等しいピッチで略平行に配列されている。
【００４９】
このような排気ダクト９０を製造するには、まず、射出成形により、第１部材９１０および第２部材９３０を形成する。
この射出成形の際、金型の進退する方向に沿って延出する部材として第１部材９１０の受け部９１３および第２部材９３０の係合部９３１があるが、これらは羽根部材９５１の両端部をそれぞれ保持するため当該金型の進退方向における寸法が小さく、脱型の際の障害とならない。
ここで、排気ダクト９０のルーバ９５０とダクト９９とが仮に一体形成されているとすると、成形型が大幅に複雑化し、成形が難しくなる。また、ダクト９９の形状や、ルーバ９５０の形状、ピッチ、傾きなどがある程度限定されてしまい、取り付けられるプロジェクタの機種に対応して自由に成形を変更できない。しかし、排気ダクト９０はダクト９９が排気ダクト９０の径方向に沿って分割されているので、第１部材９１０および第２部材９３０の開口部分から容易に脱型できる。
また、羽根部材９５１が第１部材９１０および第２部材９３０とは別体の薄いシート状とされているので、その薄さに伴って大幅に軽量化できるだけでなく、成形型を大幅に単純化でき、成形が一層容易となる。
従来のように、羽根部材９５１がダクト９９と一体に射出形成されている場合には、抜き取り時の応力に耐える厚みに羽根部材９５１（特に根元部分）を形成しなければならなかったが、羽根部材９５１が別体とされていることでこのような問題も生じない。
一方、各羽根部材９５１については、シート材料をカットして形成し、折り目９５１Ａ処理をしておく。
【００５０】
次に、これらの第１部材９１０、第２部材９３０、羽根部材９５１を組み立てるには、第２部材９３０の係合部９３１のく字屈曲と羽根部材９５１の折り目９５１Ａとを合わせるように、羽根部材９５１の一方の端部を溝部９３３に挿入する。
これにより、羽根部材９５１が溝部９３３ないし係合部９３１と同様のく字状に屈曲し、元々平坦なシート状である羽根部材９５１の復元力によって、羽根部材９５１が溝部９３３の内側面に押さえつけられ、溝部９３３に羽根部材９５１をしっかりと保持できる。
【００５１】
また、上述のように、羽根部材９５１の端部がリブ９３２Ａおよび凹部９３２Ｂの位置でうねり、これらのリブ９３２Ａおよび凹部９３２Ｂ近傍で羽根部材９５１が固定されるので、羽根部材９５１を溝部９３３全体により確実に保持できる。
さらに、羽根部材９５１の空気案内部９５１Ｂが屈曲部分で互いに支え合うような格好となるので、羽根部材９５１が平坦な状態に比べて、羽根部材９５１の強度を向上できる。
そして、各羽根部材９５１の排気口９０Ｂ側の空気案内部９５１Ｂは所定角度に傾斜し、ルーバ９５０として、排気口９０Ｂから排出される空気を整流することができる。
【００５２】
こうして各羽根部材９５１が溝部９３３にて保持された状態で、第２部材９３０を第１部材９１０に被せると、各羽根部材９５１の端部が受け部９１３にそれぞれ当接し、羽根部材９５１の端部が案内面９１３Ａに案内されて凹部９１３Ｂの中に納まる。
この際、羽根部材９５１が案内面９１３ＡのＶ字形状に従って案内されるので、凹部９１３Ｂに羽根部材９５１を入れやすい。
【００５３】
なお、凹部９１３Ｂは、第２部材９３０の溝部９３３よりも内法が幅広く、溝部９３３に保持されて延出する羽根部材９５１が多少撓んでいても、羽根部材９５１の先端部それぞれを凹部９１３Ｂに納めやすく、受け部９１３に確実に支持させることができる。こうして、羽根部材９５１は第１部材９１０と第２部材９３０との間に挟持された状態となる。
最後に、第１部材９１０の固定部９１５および第２部材９３０の固定部９３５に形成された孔にピンを挿通し、熱かしめするか、またはねじ止めすることにより、排気ダクト９０の組み立てが完了する。
【００５４】
このような排気ダクト９０は、羽根部材９５１の排気口９０Ｂ側の空気案内部９５１Ｂの傾斜方向がプロジェクタ１の外側方向となるように、すなわち、投写画像とは逸れる方向となるようにプロジェクタ１に組み込まれる。
プロジェクタ１内部の空気は、軸流ファン８２によって内部ダクト８１を介し、排気ダクト９０に引き寄せられる。そして、引き寄せられた空気は、吸気口９０Ａからルーバ９５０に取り込まれ、羽根部材９５１のく字状の空気案内部９５１Ｂによって曲折され、プロジェクタ１の投写画像や観察者とは離間する方向に整流されて放出されるので、ゆらぎのない投写画像を快適に観察できる。
この際、前述のように排気口９０Ｂの開口は吸気口９０Ａよりも小さいため吐出圧が高く、排気口９０Ｂから外装ケース２の排気口１７を介し、整流された空気がプロジェクタ１の斜め前方に勢い良く吹き出される。
【００５５】
また、羽根部材９５１が薄いことからダクト９９の開口率が増加しており、排気ダクト９０を通過する気流が各羽根部材９５１にほとんどあたらない。したがって、気流抵抗の低減が確実に図られ、ルーバ９５０の整流効果に優れる。大風量の気流を整流しても、羽根部材の風切り音が耳障りとなることもない。
さらに、羽根部材９５１は平坦なシート材料から一体に形成されているため、気流の抵抗を一層低減できている。
【００５６】
一方、図１に示すように、排気ダクト９０のルーバ９５０とアッパーケース１１のルーバ１７Ａとは、各羽根部材９５１、各羽根板１７Ａ１が互いに交差する状態で対向配置されており、これらの２つのルーバ９５０，１７Ａの組み合わせによっても、整流機能および遮光機能を発揮する。
【００５７】
以上説明した排気ダクト９０は、軸流ファン８２およびおよび内部ダクト８１を介して光源装置４１１に対向している。この光源装置４１１から射出された光束のうち、本来の照明光軸から外れて排気ダクト９０に向かう光束があるが、各羽根部材９５１の２つの空気案内部９５１Ｂによって効果的に遮光でき、外部への漏れ光を十分に低減できる。つまり、一方の空気案内部９５１Ｂで遮光できなかった光束を他方の空気案内部９５１Ｂで捕捉でき、また、ルーバ９５０で生じた反射光までをこれらの空気案内部９５１Ｂで遮光できる。その結果、ルーバ９５０に入射した光束は、排気口９０Ｂからほとんど漏れずに遮蔽され、漏れ光によって画像の投写に支障が生じることがない。
なお、各羽根部材９５１は、前述のようなピッチで配列されているので、羽根部材９５１が薄いシート状でも、吸気口９０Ａから入射する光束を、ルーバ９５０の幅寸法で隙間なく捉えて遮蔽する。したがって、プロジェクタ１の使用時、外部からルーバ９５０近傍を眺めても、明るさをほとんど感じない。
【００５８】
［冷却構造］
前述の冷却ユニット７によるプロジェクタ１内部の冷却構造を説明する。
図１０，１１は、プロジェクタ１内部に形成される冷却流路を示す図である。
プロジェクタ１内部には、前述の冷却ユニット７により、図１０，１１に示すように、液晶パネル４４１Ｒ，４４１Ｇ，４４１Ｂおよび電源ユニット６を主に冷却するパネル・電源冷却流路Ａと、偏光変換素子４１４を主に冷却する偏光変換素子冷却流路Ｂと、光源装置４１１を主に冷却する光源冷却流路Ｃとが形成される。
パネル・電源冷却流路Ａは、冷却空気がプロジェクタ１内を以下に示すように流通することで形成される。
すなわち、外部の冷却空気は、図１０に示すように、シロッコファン７１により外装ケース２の底面部１２Ａに形成された吸気口２３（図２）から吸入され、吸気ダクト７２に吐出される。そして、冷却空気は、吸気ダクト７２に導かれて光学部品用筐体４５の底面部分に形成された開口部（図示略）から光学部品用筐体４５内部へと導入される。
【００５９】
光学部品用筐体４５内部に導入された冷却空気は、液晶パネル４４１Ｒ，４４１Ｇ，４４１Ｂ、入射側偏光板４４２、視野角補正板４４３、および射出側偏光板４４４を冷却しながら、光学装置４４の下方から上方に向けて流れ、図１１に示すように、光学部品用筐体４５の外部へと流出する。そして、光学部品用筐体４５の外部に流出した空気は、シロッコファン７３により引き寄せられ、光学ユニット４の上方で投写レンズ３側に配置される制御基板（図示省略）を冷却しつつ該制御基板に沿って流れ、電源ブロック６１の内部に導入される。
電源ブロック６１内部に導入された空気は、内部の回路基板６１１に実装された回路素子を冷却しつつ筒状部材６１２に沿って流れ、シロッコファン７３に吸入され、光源駆動ブロック６２の内部側へと吐出される。この光源駆動ブロック６２内部に吐出された空気は、排気機構８０の軸流ファン８２により引き寄せられ、回路基板（図示略）に実装された回路素子を冷却しつつ筒状部材６２２に沿って流れ、排気機構８０に吸入される。そして、図１０に示すように、排気機構８０のルーバ９５０により投写方向から離間する方向に整流され、外装ケース２の排気口１７から排出される。
【００６０】
偏光変換素子冷却流路Ｂは、冷却空気がプロジェクタ１内を以下に示すように流通することで形成される。
すなわち、外部の冷却空気は、図１０に示すように、シロッコファン７１により外装ケース２の底面部１２Ａに形成された吸気口２３（図２）から吸入され、吸気ダクト７２に吐出される。そして、冷却空気は、吸気ダクト７２に導かれて光学部品用筐体４５の底面部分に形成された開口部（図示省略）から光学部品用筐体４５内部へと導入される。そして、光学部品用筐体４５内部に導入された冷却空気は、偏光変換素子４１４を冷却し、図１１に示すように、上光学部品用筐体４５２に形成された開口部４５２Ａから光学部品用筐体４５外部に流出する。
【００６１】
光源冷却流路Ｃは、冷却空気がプロジェクタ１内を以下に示すように流通することで形成される。
すなわち、パネル・電源冷却流路Ａを流れる冷却空気の一部および偏光変換素子冷却流路Ｂを流れる冷却空気が、図１１に示すように、排気機構８０により引き寄せられ、電源ブロック６１と光学部品用筐体４５の光源収納部４５１Ａとの間に入り込み、光源収納部４５１Ａの後方側端面に形成された開口部（図４）から該光源収納部４５１Ａ内に導入される。そして、光源収納部４５１Ａ内に導入された空気は、光源装置４１１を冷却し、光源収納部４５１Ａの前方側端面に形成された図示しない開口部を介して排気機構８０により吸入される。そしてまた、排気機構８０により吸入された空気は、排気ダクト９０のルーバ９５０により投写方向から離間する方向に整流され、外装ケース２の排気口１７から排出される。
【００６２】
本発明は、前述の各実施形態に限定されるものではなく、本発明の目的を達成できる範囲で以下に示すような変形をも含むものである。
第１部材、第２部材、羽根部材、溝部、受け部などの形状、位置、数等は、前記実施形態のものに限定されない。
前記実施形態では、第１部材９１０に受け部９１３が形成され、第２部材９３０に溝部９３３が形成されていたが、これと反対に、第２部材に受け部が形成され、第１部材に溝部が形成されていてもよい。
また、前記実施形態では、第１部材９１０はロアーケース１２と一体形成されていたが、第２部材９３０がアッパーケース１１と一体形成されていてもよいし、第１部材および第２部材の両方が機器筐体と一体に形成されていてもよい。さらに、第１部材と第２部材とが機器筐体とは別体とされていても勿論よい。
第１部材と第２部材は、いずれが上方、下方でも構わない。ルーバ付ダクトが機器に組み込まれる方向や、ルーバの羽根部材の向きは問わず、例えば、羽根部材が上下に並ぶように配置されている場合は、第１部材および第２部材が左右に分離可能であってもよい。
これらの第１部材と第２部材とが組み合わせられ、接合される部分は、ダクトの中間部位や端部など任意であり、ダクトを第１部材および第２部材が構成する比率は任意である。
【００６３】
前記実施形態では、く字状の溝部となっていたが、このように屈曲せず直線的に形成されていてもよい。この場合は、溝部に羽根部材が挿入され、羽根部材の平坦な面で直線的に整流できる。
一方、く字状からさらに屈曲させたＳ字状や波状など、溝部が複数の屈曲部分を有するように形成されていてもよい。
【００６４】
それから、羽根部材のシート材料としては、各種のものを採用できる。また、前記実施形態では、羽根部材９５１は予め折り目がつけられていたが、このような折り目のない平坦な羽根部材の端部を溝部に挿入し、溝部に羽根部材を保持させてもよい。
また、そうではなく、羽根部材を予めく字状に折り曲げておき、溝部に挿入しても構わない。
ここで、羽根部材を溝部でしっかりと保持する突起および凹部については、少なくとも突起が形成されていれば、本発明と等価の作用効果を奏する。ただし、前記実施形態のように、リブ９３２Ａおよび凹部９３２Ｂの双方が複数形成されており、しかもこれらのリブ９３２Ａおよび凹部９３２Ｂが対向位置にあれば、羽根部材のよれが防止され、整流効果および遮光効果を高くできる。
【００６５】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００６６】
本発明のルーバ付ダクトは、プロジェクタに利用できる他、その他の光学機器や電子機器等にも利用することができる。
【図面の簡単な説明】
【００６７】
【図１】本発明の一の実施形態に係るプロジェクタを上方前面側から見た斜視図。
【図２】前記実施形態に係るプロジェクタを下方前面側から見た斜視図。
【図３】前記実施形態に係るプロジェクタを後方背面側から見た斜視図。
【図４】前記実施形態に係るプロジェクタの内部構造を示す図。
【図５】前記実施形態における光学ユニットの光学系を模式的に示す図。
【図６】前記実施形態における冷却ユニットの構造を説明する図。
【図７】前記実施形態における排気ダクトを上方から見た斜視図。
【図８】前記実施形態における排気ダクトの分解斜視図。
【図９】前記実施形態における排気ダクトを下方から見た分解斜視図。
【図１０】前記実施形態におけるプロジェクタ内部に形成される冷却流路を示す図。
【図１１】前記実施形態におけるプロジェクタ内部に形成される冷却流路を示す図。
【符号の説明】
【００６８】
１…プロジェクタ、１２…ロアーケース（外装筐体）、９０…排気ダクト（ルーバ付ダクト）、９０Ａ…吸気口（開口）、９０Ｂ…排気口（開口）、９９…ダクト、９１０…第１部材、９１３…受け部、９１３Ａ…案内面、９３０…第２部材、９３１Ａ…傾斜部、９３２Ａ…リブ（突起）、９３３…溝部、９５０…ルーバ、９５１…羽根部材。
【図１】
2005242156.tif 000003
【図２】
2005242156.tif 000004
【図３】
2005242156.tif 000005
【図４】
2005242156.tif 000006
【図５】
2005242156.tif 000007
【図６】
2005242156.tif 000008
【図７】
2005242156.tif 000009
【図８】
2005242156.tif 000010
【図９】
2005242156.tif 000011
【図１０】
2005242156.tif 000012
【図１１】
2005242156.tif 000013